(57)【要約】【課題】実際に過負荷状態となる前に送電線の過負荷状態を検知可能とする。【解決手段】発電予測データ取得手段１１は、再生可能エネルギーを利用して発電発電機の発電電力の予測結果を示す発電予測データを取得する。変電所電力データ取得手段１２は、変電所から送電線へ供給される送電電力を示すデータを含む変電所電力データを取得する。区間電力算出手段１３は、発電予測データと変電所電力データとに基づいて、送電区間が発電機の接続ノードで分割された複数の分割区間のそれぞれについて区間電力を算出する。過負荷判定手段１４は、区間電力と各分割区間に対して設定されたしきい値とを比較し、分割区間のそれぞれについて過負荷状態が生じるか否かを判定する。【選択図】図１
2018196312.tif 000002
【特許請求の範囲】
【請求項１】
再生可能エネルギーを利用して発電し、遮断器を介して接続される送電線に電力を供給する発電機の発電電力の予測結果を示す発電予測データを取得する発電予測データ取得手段と、
変電所から前記送電線へ供給される送電電力を示すデータを含む変電所電力データを取得する変電所電力データ取得手段と、
前記発電予測データと前記変電所電力データとに基づいて、前記送電線の送電区間が前記発電機の接続ノードで分割された複数の分割区間のそれぞれについて、各分割区間の電力を示す区間電力を算出する区間電力算出手段と、
前記区間電力と各分割区間に対して設定されたしきい値とを比較し、前記分割区間のそれぞれについて過負荷状態が生じるか否かを判定する過負荷判定手段とを備える過負荷検出装置。
【請求項２】
前記区間電力算出手段は、前記送電線に対する前記変電所及び前記発電機の接続関係に応じて定義される区間電力計算式に従って前記区間電力を算出する請求項１に記載の過負荷検出装置。
【請求項３】
前記区間電力計算式は、前記送電線に接続された変電所の電力の送受電のパターンごとに定義される請求項２に記載の過負荷検出装置。
【請求項４】
再生可能エネルギーを利用して発電し、遮断器を介して接続される送電線に電力を供給する発電機の発電電力の予測結果を示す発電予測データを取得する発電予測データ取得手段と、
変電所から前記送電線へ供給される送電電力を示すデータを含む変電所電力データを取得する変電所電力データ取得手段と、
前記発電予測データと前記変電所電力データとに基づいて、前記送電線の送電区間が前記発電機の接続ノードで分割された複数の分割区間のそれぞれについて、各分割区間の電力を示す区間電力を算出する区間電力算出手段と、
前記区間電力と各分割区間に対して設定されたしきい値とを比較し、前記分割区間のそれぞれについて過負荷状態が生じるか否かを判定する過負荷判定手段と、
前記過負荷判定手段における判定結果に応じて前記遮断器を制御する遮断器制御手段とを備える送電制御装置。
【請求項５】
前記遮断器制御手段は、前記過負荷判定手段が過負荷状態が生じると判定すると、過負荷状態が生じると判定された分割区間に接続される発電機の少なくとも１つに対応する遮断器を遮断して、前記発電機の少なくとも１つを前記送電線から切り離す請求項４に記載の送電制御装置。
【請求項６】
前記遮断器制御手段は、あらかじめ定められた優先順位に従った順序で前記遮断器を遮断する請求項５に記載の送電制御装置。
【請求項７】
前記遮断器制御手段は、前記遮断器の遮断を実施した後で、かつ前記過負荷判定手段が前記遮断された遮断器が再投入された場合に過負荷状態が生じないと判定した場合、前記遮断した遮断器の再投入を行う請求項５又は６に記載の送電制御装置。
【請求項８】
前記発電予測データを生成する発電予測装置を更に有する請求項４から７何れか１項に記載の送電制御装置。
【請求項９】
再生可能エネルギーを利用して発電し、遮断器を介して接続される送電線に電力を供給する発電機の発電電力を予測し、
変電所から前記送電線へ供給される送電電力を示すデータを含む変電所電力データを取得し、
前記発電機の発電電力の予測結果を示す発電予測データと前記変電所電力データとに基づいて、前記送電線の送電区間が前記発電機の接続ノードで分割された複数の分割区間のそれぞれについて、各分割区間の電力を示す区間電力を算出し、
前記区間電力と各分割区間に対して設定されたしきい値とを比較し、前記分割区間のそれぞれについて過負荷状態が生じるか否かを判定する過負荷検出方法。
【請求項１０】
コンピュータに、
再生可能エネルギーを利用して発電し、遮断器を介して接続される送電線に電力を供給する発電機の発電電力の予測結果を示す発電予測データを取得し、
変電所から前記送電線へ供給される送電電力を示すデータを含む変電所電力データを取得し、
前記発電予測データと前記変電所電力データとに基づいて、前記送電線の送電区間が前記発電機の接続ノードで分割された複数の分割区間のそれぞれについて、各分割区間の電力を示す区間電力を算出し、
前記区間電力と各分割区間に対して設定されたしきい値とを比較し、前記分割区間のそれぞれについて過負荷状態が生じるか否かを判定する処理を実行させるためのプログラム。
【発明の詳細な説明】
【技術分野】
【０００１】
本発明は、過負荷検出装置、方法、及びプログラムに関し、更に詳しくは、送電線の過負荷状態を検出する過負荷検出装置、方法、及びプログラムに関する。
【０００２】
また、本発明は、上記送電線の送電制御を行う送電制御装置に関する。
【背景技術】
【０００３】
送電線を過電流（過負荷）から保護する装置が知られている。例えば、特許文献１には、送電線に流れる電流を計測し、計測した電流が所定の設定値を超える場合に過負荷状態を検出する装置が記載されている。また、特許文献２には、送電線に流れる電流と送電線の周囲温度とに基づいて送電線の導体温度を演算し、導体温度が所定の設定値を超える場合に過負荷状態を検出する装置が記載されている。
【０００４】
ここで、送電線には、例えば太陽光や風力などの再生可能エネルギーを用いて発電を行う発電機が接続される場合がある。一般に、そのような発電機の発電電力は、気象条件などに左右される。再生可能エネルギーの発電予測に関して、特許文献３には、日射量、風速、気温、及び降雨量などの様々な気象条件に基づいて、発電電力を予測することが開示されている。
【先行技術文献】
【特許文献】
【０００５】
【特許文献１】特開２００４−１２９４２８号公報
【特許文献２】特開平４−３１７５１１号公報
【特許文献３】特開２０１４−２６６２５号公報
【発明の概要】
【発明が解決しようとする課題】
【０００６】
特許文献１及び２には、送電線の過負荷状態が検出された場合に、発電機と送電線との間に配置された遮断器を制御し、発電機から送電線への送電を停止することで、送電線の過負荷状態を回避することが記載されている。しかしながら、これら文献では、過負荷状態を事後的にしか検出できず、過負荷状態を事前に検知することはできない。このため、例えば電流が急激に増加し、過負荷が検出される前に電流の大きさが許容値を超えた場合に、送電線が破損する可能性がある。特許文献３は、単に、再生可能エネルギーの発電電力を予測することを開示しているに過ぎず、上記問題点を解消するための手段を提供しない。
【０００７】
本発明は、上記事情に鑑み、実際に過負荷状態となる前に送電線の過負荷状態を検知可能な過負荷検出装置、送電制御装置、過負荷検出方法、及びプログラムを提供することを目的とする。
【課題を解決するための手段】
【０００８】
上記目的を達成するために、本発明は、再生可能エネルギーを利用して発電し、遮断器を介して接続される送電線に電力を供給する発電機の発電電力の予測結果を示す発電予測データを取得する発電予測データ取得手段と、変電所から前記送電線へ供給される送電電力を示すデータを含む変電所電力データを取得する変電所電力データ取得手段と、前記発電予測データと前記変電所電力データとに基づいて、前記送電線の送電区間が前記発電機の接続ノードで分割された複数の分割区間のそれぞれについて、各分割区間の電力を示す区間電力を算出する区間電力算出手段と、前記区間電力と各分割区間に対して設定されたしきい値とを比較し、前記分割区間のそれぞれについて過負荷状態が生じるか否かを判定する過負荷判定手段とを備える過負荷検出装置を提供する。
【０００９】
本発明は、また、再生可能エネルギーを利用して発電し、遮断器を介して接続される送電線に電力を供給する発電機の発電電力の予測結果を示す発電予測データを取得する発電予測データ取得手段と、変電所から前記送電線へ供給される送電電力を示すデータを含む変電所電力データを取得する変電所電力データ取得手段と、前記発電予測データと前記変電所電力データとに基づいて、前記送電線の送電区間が前記発電機の接続ノードで分割された複数の分割区間のそれぞれについて、各分割区間の電力を示す区間電力を算出する区間電力算出手段と、前記区間電力と各分割区間に対して設定されたしきい値とを比較し、前記分割区間のそれぞれについて過負荷状態が生じるか否かを判定する過負荷判定手段と、前記過負荷判定手段における判定結果に応じて前記遮断器を制御する遮断器制御手段とを備える送電制御装置を提供する。
【００１０】
本発明は、再生可能エネルギーを利用して発電し、遮断器を介して接続される送電線に電力を供給する発電機の発電電力を予測し、変電所から前記送電線へ供給される送電電力を示すデータを含む変電所電力データを取得し、前記発電機の発電電力の予測結果を示す発電予測データと前記変電所電力データとに基づいて、前記送電線の送電区間が前記発電機の接続ノードで分割された複数の分割区間のそれぞれについて、各分割区間の電力を示す区間電力を算出し、前記区間電力と各分割区間に対して設定されたしきい値とを比較し、前記分割区間のそれぞれについて過負荷状態が生じるか否かを判定する過負荷検出方法を提供する。
【００１１】
本発明は、コンピュータに、再生可能エネルギーを利用して発電し、遮断器を介して接続される送電線に電力を供給する発電機の発電電力の予測結果を示す発電予測データを取得し、変電所から前記送電線へ供給される送電電力を示すデータを含む変電所電力データを取得し、前記発電予測データと前記変電所電力データとに基づいて、前記送電線の送電区間が前記発電機の接続ノードで分割された複数の分割区間のそれぞれについて、各分割区間の電力を示す区間電力を算出し、前記区間電力と各分割区間に対して設定されたしきい値とを比較し、前記分割区間のそれぞれについて過負荷状態が生じるか否かを判定する処理を実行させるためのプログラムを提供する。
【発明の効果】
【００１２】
本発明の過負荷検出装置、送電制御装置、過負荷検出方法、及びプログラムは、実際に過負荷状態となる前に送電線の過負荷状態を検知することができる。
【図面の簡単な説明】
【００１３】
【図１】本発明の概略的な送電制御装置を示すブロック図。
【図２】本発明の一実施形態に係る過負荷検出装置を含む送電システムを示すブロック図。
【図３】送電線過負荷検知装置の構成を示すブロック図。
【図４】送電系統を示す系統図。
【図５】区間電力の算出に用いられる区間電力計算式を示す図。
【図６】各分割区間に設定される判定しきい値を示す表。
【図７】区間電力の数値例を示す系統図。
【図８】区間電力計算式、計算結果、判定しきい値、及び過負荷状況の発生の有無を示す表。
【図９】分割区間と遮断する発電機との対応関係を示す表。
【図１０】遮断時の動作手順を示すフローチャート。
【図１１】復旧時の動作手順を示すフローチャート。
【発明を実施するための形態】
【００１４】
本発明の実施形態の説明に先立って、本発明の概要を説明する。図１は、本発明の概略的な送電制御装置（システム）を示す。送電制御装置２０は、発電予測データ取得手段１１、変電所電力データ取得手段１２、区間電力算出手段１３、過負荷判定手段１４、及び遮断器制御手段２１を有する。送電制御装置２０の構成要素のうち、発電予測データ取得手段１１、変電所電力データ取得手段１２、区間電力算出手段１３、及び過負荷判定手段１４は、過負荷検出装置１０を構成する。
【００１５】
過負荷検出装置１０は、再生可能エネルギーを利用して発電する発電機が接続される送電線において過負荷状態が発生しているか否かを判断する。各発電機は、遮断器を介して送電線に接続される。発電予測データ取得手段１１は、再生可能エネルギーを利用して発電する発電機の発電電力の予測結果を示す発電予測データを取得する。変電所電力データ取得手段１２は、変電所から発電機が接続される送電線へ供給される送電電力を示すデータを含む変電所電力データを取得する。
【００１６】
区間電力算出手段１３は、発電予測データと変電所電力データとに基づいて、送電線の送電区間が発電機の接続ノードで分割された複数の分割区間のそれぞれについて、各分割区間の電力を示す区間電力を算出する。過負荷判定手段１４は、算出された区間電力と各分割区間に対して設定されたしきい値とを比較する。過負荷判定手段１４は、比較結果に基づいて、分割区間のそれぞれについて過負荷状態が生じるか否かを判定する。遮断器制御手段２１は、過負荷判定手段１４における判定結果に応じて発電機と送電線との間に配置された遮断器を制御する。
【００１７】
本実施形態では、変電所から送電線に送電される電力と、再生可能エネルギーを利用して発電する発電機の発電電力の予測値とに基づいて、各分割区間における送電電力が計算される。本発明では、発電電力の予測値を用いて過負荷状態の有無を判定することで、実際に過負荷状態が生じる前の段階で、過負荷状態の発生を検知することができる。過負荷状態の発生が検知された場合に、遮断器を制御して、発電機から送電線への送電を停止させることで、過負荷状態の回避が可能である。
【００１８】
以下、図面を参照しつつ、本発明の実施の形態を詳細に説明する。図２は、本発明の一実施形態に係る過負荷検出装置を含む送電システムを示す。この送電システムは、遠方監視制御装置１０１、送電線過負荷検知装置１０２、発電予測装置１０３、変電所１０４、及び遮断器１０５を含む。
【００１９】
遠方監視制御装置１０１は、例えば電力会社などの中央制御室などに配置される。遠方監視制御装置１０１は、通信回線を介して変電所１０４と接続されており、変電所１０４の監視及び制御を実施する。遠方監視制御装置１０１は、例えば遠方の変電所１０４に設置された制御装置と通信する通信装置、オペレータに各種情報を表示する表示装置、オペレータの操作を受け付ける操作卓、及び各種演算や制御などを行うサーバなどを含む。遠方監視制御装置１０１は、図示しない発電所の運転や停止などの制御も行う。
【００２０】
発電予測装置１０３は、再生可能エネルギーを利用して発電する発電機（そのような発電機を有する発電所）の発電電力を予測する。発電予測装置１０３は、例えば日照、気温、風速、及び降雨量などの気象条件に基づいて、発電電力を予測する。発電予測装置１０３が発電電力を予測する際に使用するアルゴリズムは特に限定されず、発電予測装置１０３は、任意の計算手法を用いて発電電力を予測する。
【００２１】
送電線過負荷検知装置１０２は、変電所１０４間を接続する送電線の過負荷状態を検知する。送電線過負荷検知装置１０２は、例えば、送電線を変電所１０４や図示しない発電所ごとの区間に分け、区間ごとに過負荷状態が生じるか否かを判断する。本実施形態では、送電線過負荷検知装置１０２は、発電予測装置１０３が予測した発電電力を用いて、過負荷状態が生じるか否かの判断を行う。送電線過負荷検知装置１０２は、過負荷状態が生じると判断すると、遠方監視制御装置１０１に遮断器１０５の制御を要求し、送電線へ送電電力を低下させる。
【００２２】
送電線過負荷検知装置１０２及び発電予測装置１０３は、例えばプロセッサ及びメモリなどを含むコンピュータ装置として構成される。送電線過負荷検知装置１０２と発電予測装置１０３とは、物理的に分離している必要はなく、１つの装置として構成されていてもよい。あるいは、送電線過負荷検知装置１０２及び発電予測装置１０３の少なくとも一方は、遠方監視制御装置１０１の一部であってもよい。送電線過負荷検知装置１０２は、図１の過負荷検出装置１０に対応し、遠方監視制御装置１０１及び送電線過負荷検知装置１０２は、図１の送電制御装置２０に対応する。
【００２３】
図３は、送電線過負荷検知装置１０２の構成を示す。送電線過負荷検知装置１０２は、データ受信部１２１、データ入力部１２２、データ蓄積部１２３、区間電力算出部１２４、過負荷判定部１２５、及び遮断要求部１２６を有する。送電線過負荷検知装置１０２において、例えばデータ受信部１２１、区間電力算出部１２４、過負荷判定部１２５、及び遮断要求部１２６の機能は、コンピュータがプログラムに従って動作することで実現され得る。
【００２４】
データ受信部１２１は、発電予測装置１０３から、再生可能エネルギーを利用して発電する発電機の発電電力の予測結果を示す発電予測データを取得する。発電予測装置１０３は、例えば翌日分の発電電力を予測する。発電予測装置１０３は、所定時間単位、例えば３０分単位で発電電力を予測し、その予測結果を送電線過負荷検知装置１０２に送信する。データ受信部１２１は、例えば前日にその翌日の発電電力を予測した発電予測データを取得する。データ受信部１２１は、当日に発電電力の予測結果が変更になった場合は、変更後の発電予測データを取得する。
【００２５】
また、データ受信部１２１は、遠方監視制御装置１０１から、変電所１０４（図２を参照）から送電線へ供給される送電電力を示すデータを含む変電所電力データを取得する。データ受信部１２１は、遠方監視制御装置１０１から、例えば送電線電流を示すデータを取得する。データ受信部１２１は、例えば所定の周期で、遠方監視制御装置１０１から現在の送電電力を示すデータを取得する。データ受信部１２１は、遠方監視制御装置１０１から、例えば３０分ごとに、変電所１０４から送電線に送電される送電電力を示すデータと、変電所１０４が送電線から受電する受電電力を示すデータとを取得する。データ受信部１２１は、図１の発電予測データ取得手段１１及び変電所電力データ取得手段１２として機能する。
【００２６】
データ入力部１２２は、送電線区間、区間電力計算式、過負荷の判定しきい値、過負荷状態が生じた場合に遮断の対象とする発電機、及びその際の遮断順位などを示す各種情報を入力する。データ入力部１２２は、例えばキーボードやポインティングデバイスなどの入力装置を含む。データ蓄積部１２３は、例えばハードディスク装置などの補助記憶装置であり、データ受信部１２１が取得した発電予測データ及び変電所電力データや、データ入力部１２２から入力された各種データを記憶する。
【００２７】
区間電力算出部１２４は、発電予測データと変電所電力データとに基づいて、送電線の送電区間が発電機の接続ノードで分割された複数の分割区間のそれぞれについて、各分割区間の電力を示す区間電力を算出する。区間電力算出部１２４は、例えば送電線に対する変電所及び発電機の接続関係に応じて定義される区間電力計算式に従って、区間電力を算出する。区間電力計算式は、データ入力部１２２から入力され、データ蓄積部１２３に記憶される。区間電力計算式は、例えば送電線に接続された変電所の電力の送受電のパターンごとに定義される。
【００２８】
過負荷判定部１２５は、区間電力算出部１２４で算出された区間電力に基づいて、分割区間のそれぞれについて過負荷状態が生じるか否かを判定する。過負荷判定部１２５は、過負荷状態の判定では、区間電力と各分割区間に対して設定された判定しきい値とを比較する。過負荷判定部１２５は、区間電力が判定しきい値以上の場合は過負荷状態が生じると判定し、区間電力が判定しきい値未満の場合は過負荷状態が生じないと判定する。判定しきい値は、データ入力部１２２から入力され、データ蓄積部１２３に記憶される。
【００２９】
遮断要求部１２６は、過負荷判定部１２５で過負荷状態が生じると判定されると、遮断器１０５の遮断要求を遠方監視制御装置１０１に送信する。遠方監視制御装置１０１は、図１の遮断器制御手段２１に対応する手段を有しており、遮断要求部１２６から送信される遮断要求に従って、発電機の遮断（遮断器１０５の開閉）を制御する。遮断要求部１２６は、過負荷判定部１２５で過負荷状態が生じると判定されると、過負荷状態が生じると判定された分割区間に接続される発電機の少なくとも１つに対応する遮断器１０５を遮断して、発電機の少なくとも１つを送電線から分離させる。遮断要求部１２６は、例えば分割区間ごとに設定された遮断対象の発電機を、あらかじめ定められた遮断順序に基づいて分離（遮断）させる。
【００３０】
なお、上記では、送電線過負荷検知装置１０２が遠方監視制御装置１０１から変電所電力データを取得する例を説明したが、これには限定されず、送電線過負荷検知装置１０２が変電所１０４から電力データを収集することとしてもよい。また、上記では、送電線過負荷検知装置１０２が、遠方監視制御装置１０１を通じて遮断器１０５を開閉する例を説明したが、これには限定されない。送電線過負荷検知装置１０２は、遮断器制御手段２１に対応する手段を有していてもよく、遠方監視制御装置１０１を介さずに遮断器１０５の開閉を制御してもよい。
【００３１】
図４は、送電系統を示す。ここでは、変電所１０４（図２を参照）として、変電所Ａ１４１と変電所Ｂ１４２とを考え、これら変電所Ａ１４１及び変電所Ｂ１４２が、２つの送電線１７１及び１７２で接続されている場合を考える。変電所Ａ１４１と送電線１７１との接続ノードをＡＬ１とし、変電所Ｂ１４２と送電線１７１との接続ノードをＢＬ１とする。また、変電所Ａ１４１と送電線１７２との接続ノードをＡＬ２とし、変電所Ｂ１４２と送電線１７２との接続ノードをＢＬ２とする。
【００３２】
変電所Ａ１４１及び変電所Ｂ１４２は、それぞれ図示しない他の変電所や発電所にも接続されている。変電所Ａ１４１及び変電所Ｂ１４２は、それぞれ他の変電所や発電所から電力の供給を受け、供給される電力を送電線１７１及び１７２に送電する。あるいは、変電所Ａ１４１及び変電所Ｂ１４２は、送電線１７１及び１７２を介して電力を受電し、受電した電力を他の送電線などを介して他の変電所などに供給する。
【００３３】
送電線１７１には、再生可能エネルギーを利用して発電する発電機（Ｇ１）１６１及び発電機（Ｇ２）１６２が、対応する遮断器（ＣＢ１）１５１及び遮断器（ＣＢ２）１５２を介して接続される。送電線１７１と発電機１６１との接続ノードをｇ１とし、送電線１７１と発電機１６２との接続ノードをｇ２とする。一方、送電線１７２には、再生可能エネルギーを利用して発電する発電機（Ｇ３）１６３及び発電機（Ｇ４）１６４が、対応する遮断器（ＣＢ３）１５３及び遮断器（ＣＢ４）１５４を介して接続される。送電線１７２と発電機１６３との接続ノードをｇ３とし、送電線１７２と発電機１６４との接続ノードをｇ４とする。
【００３４】
上記の場合、送電線１７１の変電所Ａ１４１と変電所Ｂ１４２との間の送電区間は、ノードＡＬ１〜ｇ１、ノードｇ１〜ｇ２、及びノードｇ２〜ＢＬ２の３つの区間に分割される。また、送電線１７２の変電所Ａ１４１と変電所Ｂ１４２との間の送電区間は、ノードＡＬ２〜ｇ３、ノードｇ３〜ｇ４、及びノードｇ４〜ＢＬ２の３つの区間に分割される。区間電力算出部１２４（図３を参照）は、これら６つの区間（分割区間）における区間電力を算出する。
【００３５】
なお、説明簡略化のために、図４には簡略化された系統図が示されているが、送電系統はより複雑なものであってもよい。例えば、送電線は途中に分岐箇所を有していてもよく、ある変電所から送電された電力が、２つの変電所で受電されてもよい。
【００３６】
図５は、区間電力の算出に用いられる区間電力計算式を示す。前提として、ある送電線に対して送電を行う少なくとも１つの変電所が存在し、かつ、その送電線から受電する少なくとも１つの変電所が存在するものとする。変電所のノードの電力が「＋」（０を含む正の数）の場合は変電所が送電を行う、つまり変電所からから送電線に電力（電流）が供給される旨を示し、「−」の場合は変電所が受電を行う、つまり変電所に対して送電線から電力が供給される旨を示す。
【００３７】
区間電力計算式は、送電線に接続された変電所の電力の送受電のパターンごとに定義される。図５において、区間電力計算式に記述されるＡＬ１、ＡＬ２、ＢＬ１、及びＢＬ２は、変電所が送電線に現在送電している送電電力、又は変電所が送電線から現在受電している受電電力を表す。また、区間電力計算式に記述されるｇ１〜ｇ４は、発電予測装置１０３（図２及び図３を参照）で予測された発電機１５１〜１５４の発電電力を表す。各分割区間の区間電力は、変電所１０４における送受電のパターンに応じてこれらの絶対値を加算することで、算出することができる。
【００３８】
例えば、変電所Ａ１４１が送電線１７１及び１７２に送電し、変電所Ｂ１４２が送電線１７１及び１７２から受電する場合を考える。つまり、ノードＡＬ１及びＡＬ２の電力が「＋」で、ノードＢＬ１及びＢＬ２の電力が「−」である場合を考える。この場合、各分割区間の区間電力計算式は、図５のＮｏ．１で定義される。例えば図４に示される送電線１７１における発電機１５１と発電機１５２との間の送電区間（区間ｇ１〜ｇ２）の区間電力は、変電所Ａ１４１から送電線１７１に供給される電力ＡＬ１と、発電機１５１の発電電力の予測値ｇ１との和（ＡＬ１＋ｇ１）で算出される。なお、１つの送電線から受電する変電所が複数ある場合は、分岐直前の分割区間の区間電力を、受電している変電所の現在の受電電力の比で分配して区間電力を計算すればよい。
【００３９】
図６は、各分割区間に設定される判定しきい値を示す。この例では、分割区間（送電区間）ＡＬ１〜ｇ１、ｇ１〜ｇ２、ｇ２〜ＢＬ１、ＢＬ２〜ｇ４、ｇ４〜ｇ３、及びｇ３〜ＡＬ２に対して、５００ＭＷが判定しきい値として設定されている。判定しきい値は、分割区間ごとに異なっていてもよい。過負荷判定部１２５（図３を参照）は、各分割区間に対して算出した区間電力と、各分割区間に対して設定された判定しきい値とを比較し、過負荷状態が生じる分割区間が存在するか否かを判断する。
【００４０】
図７は、区間電力の数値例を示す。ここでは、変電所Ａ１４１が送電線１７１及び１７２に対してそれぞれ送電を行う場合を考える。データ受信部１２１（図３を参照）は、遠方監視制御装置１０１から、現在のノードＡＬ１の送電電力＋１００ＭＷと、ノードＡＬ２の送電電力＋２００ＭＷとを取得し、データ蓄積部１２３に変電所電力データとして記憶する。また、データ受信部１２１は、前日に、発電予測装置１０３から翌日分の各発電機の発電電力の予測結果を取得しており、データ蓄積部１２３に発電予測データとして記憶している。
【００４１】
図８は、図７の例における区間電力計算式と、計算結果、判定しきい値、及び過負荷状況の発生の有無をまとめた表を示す。上記の場合、区間電力算出部１２４は、図５のＮｏ．１の区間電力計算式を用いて、各分割区間の区間電力を算出する。区間電力算出部１２４は、例えばデータ受信部１２１が新たな変電所電力データを取得しデータ蓄積部１２３に記憶すると、その変電所電力データをデータ蓄積部１２３から読み出す。また、区間電力算出部１２４は、現在時刻が属する時間帯の次の時間帯における発電予測データをデータ蓄積部１２３から読み出す。区間電力算出部１２４は、読み出した変電所電力データと発電予測データとを区間電力計算式に適用し、次の時間帯のおける各分割区間の区間電力（その予測値）を算出する。
【００４２】
区間電力算出部１２４は、現在時刻が属する時間帯の次の時間帯において、例えばノードＡＬ１〜ｇ１の分割区間の区間電力が１００ＭＷ、ノードｇ１〜ｇ２の分割区間の区間電力が２００ＭＷ、ノードｇ２〜ＢＬ１の分割区間の区間電力が３００ＭＷであるという計算結果を出力する。また、区間電力算出部１２４は、次の時間帯において、ノードＢＬ２〜ｇ４の分割区間の区間電力が６００ＭＷ、ノードｇ４〜ｇ３の分割区間の区間電力が４００ＭＷ、ノードｇ３〜ＡＬ２の分割区間の区間電力が２００ＭＷであるという計算結果を出力する。
【００４３】
過負荷判定部１２５は、区間電力算出部１２４が計算した各分割区間の区間電力と判定しきい値とを比較する。各分割区間の判定しきい値が５００ＭＷであった場合、過負荷判定部１２５は、分割区間ＢＬ２〜ｇ４の区間電力（６００ＭＷ）が判定しきい値（５００ＭＷ）を超えていると判定し、次の時間帯において、その区間で過負荷状態が生じると判断する。他の分割区間については、区間電力は判定しきい値を下回っているため、次の時間帯において過負荷状態は生じないと判断できる。
【００４４】
図９は、分割区間と過負荷が生じた場合に遮断する発電機との対応関係を示す。例えば管理者は、事前に、過負荷状態が生じると判断された場合に遮断する発電機及びその遮断順序を設定する情報を、データ入力部１２２（図３を参照）を用いて送電線過負荷検知装置１０２に入力している。遮断要求部１２６は、何れかの区間で過負荷状態が生じると判断されると、図９に示される情報を参照して、どの発電機を遮断するか、つまりどの発電機に対応する遮断器を「開」にするかを決定する。
【００４５】
遮断要求部１２６は、遠方監視制御装置１０１を通じて、分割区間ごとに設定された遮断順位で、過負荷状態が解消するまで発電機を遮断する。遮断要求部１２６は、例えば分割区間ＢＬ２〜ｇ４において過負荷状態が生じると判断された場合、遠方監視制御装置１０１に対して、発電機Ｇ４、Ｇ３、Ｇ２、Ｇ１の順で、対応する遮断器ＣＢ４、ＣＢ３、ＣＢ２、ＣＢ１を「開」に制御することを要求する。なお、分割区間ＢＬ２〜ｇ４は送電線１７２の送電区間に含まれており、送電線１７２には発電機（Ｇ１）１６１及び発電機（Ｇ２）１６２は直接接続されていない。発電機１６１及び１６２の遮断が、送電線１７２において生じる過負荷状態の解消に有効でない場合、それら発電機は遮断順位から除外されていてもよい。
【００４６】
以下、動作手順を示す。図１０は、遮断時の動作手順を示す。管理者などは、データ入力部１２２（図３を参照）を用いて、システムの動作に必要な各種情報（データ）を入力する（ステップＡ１）。ステップＡ１では、例えば送電線の送電区間を発電所や変電所で分割した分割区間を示す情報、各区間の区間電力計算式を定義する情報、区間ごとに設定された判定しきい値を示す情報、過負荷状態が生じる場合に遮断する発電機を指定する情報、及び遮断順位を示す情報などが入力される。ステップＡ１で入力された情報は、データ蓄積部１２３に記憶される。
【００４７】
データ受信部１２１は、発電予測装置１０３から発電予測データを取得する（ステップＡ２）。データ受信部１２１は、例えば発電予測装置１０３から、翌日分の発電予測結果を示す発電予測データを取得し、データ蓄積部１２３に記憶する。発電予測データの取得は、例えば１日に１回実施される。発電予測装置１０３が生成する発電予測データが変更された場合は、変更後の発電予測データがデータ蓄積部１２３に記憶され、以降の処理において使用される。
【００４８】
データ受信部１２１は、遠方監視制御装置１０１から、変電所の現在の変電所電力データを取得する（ステップＡ３）。データ受信部１２１は、例えば所定時間が経過するごとに、定期的に遠方監視制御装置１０１から変電所電力データを取得し、データ蓄積部１２３に記憶する。
【００４９】
区間電力算出部１２４は、ステップＡ２で取得された発電予測データと、ステップＡ３で取得された変電所電力データとを用いて、各分割区間の区間電力を算出する（ステップＡ４）。区間電力算出部１２４は、ステップＡ４では、例えば前日に取得された当日分の発電予測データと、現在の変電所電力データとに基づいて、分割区間のそれぞれについて区間電力を算出する。区間電力算出部１２４は、既に遮断された発電機がある場合は、その発電機を除外して区間電力を算出する。
【００５０】
過負荷判定部１２５は、ステップＡ４で算出された各分割の区間電力と、各分割区間の判定しきい値とを比較し、区間電力が判定しきい値以上であるか否かを判断する（ステップＡ５）。過負荷判定部１２５は、区間電力が判定しきい値以上である分割区間が存在する場合は、その分割区間において過負荷状態が生じると判定する。区間電力が判定しきい値よりも小さいと判断された場合、処理はステップＡ３に戻り、ステップＡ３において次の変電所電力データが取得される。
【００５１】
遮断要求部１２６は、ステップＡ５で過負荷状態が生じると判定されると、遠方監視制御装置１０１に遮断要求を送信し、送電線に接続される発電機の少なくとも１つを遮断する（ステップＡ６）。遮断要求部１２６は、例えば現在時刻が、過負荷状態が生じると判定された時間帯の開始時刻になると、遠方監視制御装置１０１に遮断要求を送信する。発電機が遮断されることで、送電線へ供給される電力が低下し、過負荷状態の発生を事前に回避することが可能である。その後、処理はステップＡ３に戻り、ステップＡ３において次の変電所電力データが取得される。
【００５２】
なお、上記手順に従って遮断された遮断器（発電機）は、その発電機から送電線への送電を再開した場合でも過負荷状態が生じないと判定された場合に、復旧させることができる。例えば、遮断要求部１２６は、遮断器の遮断が実施された後で、かつ遮断された遮断器が再投入された場合でも過負荷状態が生じないと判定される場合は、遮断した遮断器の再投入を遠方監視制御装置１０１に要求してもよい。
【００５３】
図１１は、遮断器の復旧時の手順を示す。区間電力算出部１２４は、遮断中の発電機があるか否かを判断する（ステップＢ１）。遮断中の発電機がない場合、処理はステップＢ１に戻る。区間電力算出部１２４は、ステップＢ１で遮断中の発電機があると判断した場合、発電機が復旧した場合の区間電力、つまり対応する遮断器が「閉」の場合の区間電力を算出する（ステップＢ２）。区間電力算出部１２４は、ステップＢ２では、例えば区間電力計算式に、遮断中の発電機の発電電力が含まれる分割区間について、区間電力を算出する。
【００５４】
過負荷判定部１２５は、ステップＢ２で算出された区間電力が、発電機の復旧に関連した復旧しきい値以下であるか否かを判断する（ステップＢ３）。復旧しきい値は、例えば、過負荷状態か否かの判定に用いられる判定しきい値よりも少し低い値に設定される。遮断要求部１２６は、ステップＢ３で区間電力が復旧しきい値以下であると判断されると、遠方監視制御装置１０１に復旧要求を送信し、遮断中の発電機に対応する遮断器を「閉」に制御する（ステップＢ４）。遮断器が「閉」となることで、発電機から送電線への送電が再開される。
【００５５】
ステップＢ３で区間電力が復旧しきい値よりも大きいと判断された場合、処理はステップＢ１に戻る。区間電力算出部１２４は、例えば新たな変電所電力データが得られるたびにステップＢ２を実行し、区間電力の算出結果を更新する。このようにすることで、過負荷状態が解消した場合に、発電機を送電系統に自動で復帰させることができる。なお、遮断された発電機の送電系統への復帰は、遠方監視制御装置１０１のオペレータが手動で実施してもよい。
【００５６】
本実施形態では、送電線過負荷検知装置１０２は、発電予測装置１０３から再生可能エネルギーの発電電力の予測結果を取得する。送電線過負荷検知装置１０２は、送電線の分割区間ごとに、発電電力の予測結果を用いて、過負荷状態が生じるか否かを判定する。本実施形態では、過負荷状態が生じるか否かの判定に、再生可能エネルギーの発電電力の予測結果が用いられる。予測結果を用いて過負荷状態が生じるか否かを判定することで、実際に過負荷状態が生じる前に、過負荷状態が生じることを検知することができる。このため、再生可能エネルギーの発電電力が急激に増加するような場合でも、過負荷状態の発生を事前に検知することができ、送電線の破損や停電などの事態を防ぐことができる。
【００５７】
以上、本発明の実施形態を詳細に説明したが、本発明は、上記した実施形態に限定されるものではなく、本発明の趣旨を逸脱しない範囲で上記実施形態に対して変更や修正を加えたものも、本発明に含まれる。
【００５８】
上記実施形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記憶媒体（tangible storage medium）を含む。非一時的なコンピュータ可読媒体の例は、例えばフレキシブルディスク、磁気テープ、又はハードディスクなどの磁気記録媒体、例えば光磁気ディスクなどの光磁気記録媒体、ＣＤ（compact disc）、又はＤＶＤ（digital versatile disk）などの光ディスク媒体、及び、マスクＲＯＭ（read only memory）、ＰＲＯＭ（programmable ROM）、ＥＰＲＯＭ（erasable PROM）、フラッシュＲＯＭ、又はＲＡＭ（random access memory）などの半導体メモリを含む。また、プログラムは、様々なタイプの一時的なコンピュータ可読媒体（transitory computer readable medium）を用いてコンピュータに供給されてもよい。一時的なコンピュータ可読媒体の例は、電気信号、光信号、及び電磁波を含む。一時的なコンピュータ可読媒体は、電線及び光ファイバなどの有線通信路、又は無線通信路を介して、プログラムをコンピュータに供給できる。
【００５９】
例えば、上記の実施形態の一部又は全部は、以下の付記のようにも記載され得るが、以下には限られない。
【００６０】
［付記１］
再生可能エネルギーを利用して発電し、遮断器を介して接続される送電線に電力を供給する発電機の発電電力量の予測結果を示す発電予測データを取得する発電予測データ取得手段と、
変電所から前記送電線へ供給される送電電力量を示すデータを含む変電所電力データを取得する変電所電力データ取得手段と、
前記発電予測データと前記変電所電力データとに基づいて、前記送電線の送電区間が前記発電機の接続ノードで分割された複数の分割区間のそれぞれについて、各分割区間の電力量を示す区間電力データを算出する区間電力算出手段と、
前記区間電力データと各分割区間に対して設定されたしきい値とを比較し、前記分割区間のそれぞれについて過負荷状態が生じるか否かを判定する過負荷判定手段とを備える過負荷検出装置。
【００６１】
［付記２］
前記発電予測データ取得手段は、前日に当日の発電電力量を予測した発電予測データを取得する付記１に記載の過負荷検出装置。
【００６２】
［付記３］
前記発電予測データ取得手段は、当日に前記発電機の発電電力量の予測が変更された場合は、変更後の発電予測データを取得する付記２に記載の過負荷検出装置。
【００６３】
［付記４］
前記区間電力算出手段は、前記送電線に対する前記変電所及び前記発電機の接続関係に応じて定義される区間電力計算式に従って前記区間電力データを算出する付記１から３何れか１つに記載の過負荷検出装置。
【００６４】
［付記５］
前記区間電力計算式は、前記送電線に接続された変電所の電力の送受電のパターンごとに定義される付記４に記載の過負荷検出装置。
【００６５】
［付記６］
再生可能エネルギーを利用して発電し、遮断器を介して接続される送電線に電力を供給する発電機の発電電力量の予測結果を示す発電予測データを取得する発電予測データ取得手段と、
変電所から前記送電線へ供給される送電電力量を示すデータを含む変電所電力データを取得する変電所電力データ取得手段と、
前記発電予測データと前記送受電電力データとに基づいて、前記送電線の送電区間が前記発電機の接続ノードで分割された複数の分割区間のそれぞれについて、各分割区間の電力量を示す区間電力データを算出する区間電力算出手段と、
前記区間電力データと各分割区間に対して設定されたしきい値とを比較し、前記分割区間のそれぞれについて過負荷状態が生じるか否かを判定する過負荷判定手段と、
前記過負荷判定手段における判定結果に応じて前記遮断器を制御する遮断器制御手段とを備える送電制御装置。
【００６６】
［付記７］
前記遮断器制御手段は、前記過負荷判定手段が過負荷状態が生じると判定すると、過負荷状態が生じると判定された分割区間に接続される発電機の少なくとも１つに対応する遮断器を遮断して、前記発電機の少なくとも１つを前記送電線から切り離す付記６に記載の送電制御装置。
【００６７】
［付記８］
前記遮断器制御手段は、あらかじめ定められた優先順位に従った順序で前記遮断器を遮断する付記７に記載の送電制御装置。
【００６８】
［付記９］
前記遮断器制御手段は、前記遮断器の遮断を実施した後で、かつ前記過負荷判定手段が前記遮断された遮断器が再投入された場合に過負荷状態が生じないと判定した場合、前記遮断した遮断器の再投入を行う付記７又は８に記載の送電制御装置。
【００６９】
［付記１０］
前記発電予測データを生成する発電予測装置を更に有する付記６から９何れか１つに記載の送電制御装置。
【００７０】
［付記１１］
再生可能エネルギーを利用して発電し、遮断器を介して接続される送電線に電力を供給する発電機の発電電力量を予測し、
変電所から前記送電線へ供給される送電電力量を示すデータを含む変電所電力データを取得し、
前記発電機の発電電力量の予測結果を示す発電予測データと前記変電所電力データとに基づいて、前記送電線の送電区間が前記発電機の接続ノードで分割された複数の分割区間のそれぞれについて、各分割区間の電力量を示す区間電力データを算出し、
前記区間電力データと各分割区間に対して設定されたしきい値とを比較し、前記分割区間のそれぞれについて過負荷状態が生じるか否かを判定する過負荷検出方法。
【００７１】
［付記１２］
再生可能エネルギーを利用して発電し、遮断器を介して接続される送電線に電力を供給する発電機の発電電力量を予測し、
変電所から前記送電線へ供給される送電電力量を示すデータを含む変電所電力データを取得し、
前記発電機の発電電力量の予測結果を示す発電予測データと前記変電所電力データとに基づいて、前記送電線の送電区間が前記発電機の接続ノードで分割された複数の分割区間のそれぞれについて、各分割区間の電力量を示す区間電力データを算出し、
前記区間電力データと各分割区間に対して設定されたしきい値とを比較し、前記分割区間のそれぞれについて過負荷状態が生じるか否かを判定し、
前記過負荷状態が生じるか否かの判定結果に応じて前記遮断器を制御する送電制御方法。
【００７２】
［付記１３］
コンピュータに、
再生可能エネルギーを利用して発電し、遮断器を介して接続される送電線に電力を供給する発電機の発電電力量の予測結果を示す発電予測データを取得し、
変電所から前記送電線へ供給される送電電力量を示すデータを含む変電所電力データを取得し、
前記発電予測データと前記変電所電力データとに基づいて、前記送電線の送電区間が前記発電機の接続ノードで分割された複数の分割区間のそれぞれについて、各分割区間の電力量を示す区間電力データを算出し、
前記区間電力データと各分割区間に対して設定されたしきい値とを比較し、前記分割区間のそれぞれについて過負荷状態が生じるか否かを判定する処理を実行させるためのプログラム。
【００７３】
［付記１４］
コンピュータに、
再生可能エネルギーを利用して発電し、遮断器を介して接続される送電線に電力を供給する発電機の発電電力量の予測結果を示す発電予測データを取得し、
変電所から前記送電線へ供給される送電電力量を示すデータを含む変電所電力データを取得し、
前記発電予測データと前記変電所電力データとに基づいて、前記送電線の送電区間が前記発電機の接続ノードで分割された複数の分割区間のそれぞれについて、各分割区間の電力量を示す区間電力データを算出し、
前記区間電力データと各分割区間に対して設定されたしきい値とを比較し、前記分割区間のそれぞれについて過負荷状態が生じるか否かを判定し、
前記過負荷状態が生じるか否かの判定結果に応じて前記遮断器を制御する処理を実行させるためのプログラム。
【符号の説明】
【００７４】
１０：過負荷検出装置
１１：発電予測データ取得手段
１２：変電所電力データ取得手段
１３：区間電力算出手段
１４：過負荷判定手段
２０：送電制御装置
２１：遮断器制御手段
１０１：遠方監視制御装置
１０２：送電線過負荷検知装置
１０３：発電予測装置
１０４、１４１、１４２：変電所
１０５、１５１〜１５４：遮断器
１２１：データ受信部
１２２：データ入力部
１２３：データ蓄積部
１２４：区間電力算出部
１２５：過負荷判定部
１２６：遮断要求部
１６１〜１６４：発電機
１７１、１７２：送電線
【図１】
2018196312.tif 000003
【図２】
2018196312.tif 000004
【図３】
2018196312.tif 000005
【図４】
2018196312.tif 000006
【図５】
2018196312.tif 000007
【図６】
2018196312.tif 000008
【図７】
2018196312.tif 000009
【図８】
2018196312.tif 000010
【図９】
2018196312.tif 000011
【図１０】
2018196312.tif 000012
【図１１】
2018196312.tif 000013